(57)【要約】【課題】リモコンのストップ操作及び便器洗浄操作が実質上できなくなってしまうのを防止することができ、確実にストップ操作及び便器洗浄操作の動作を実行させること停止させることができる局部洗浄装置を提供する。【解決手段】局部洗浄装置の本体部とは離隔して配置されるリモコン操作部に電池を電源として働く発光部を設け、該発光部より光信号を発信してこれを本体部側の受光部で受信し、その受信信号に応じた所定の動作を行う形式の局部洗浄装置の動作制御方法であって前記電池の電圧値が、前記発光部からの発信が不能となる電池切れ電圧値よりも高い値で設定した第一の設定電圧値まで降下した時点で、前記リモコン操作部における動作停止のためのストップ及び便器洗浄操作以外の操作に基づく動作を実質上禁止することを特徴とする局部洗浄装置。【選択図】図１
2015187354.tif 000002
【特許請求の範囲】
【請求項１】
局部洗浄装置の本体部とは隔離して配置されるリモコン操作部に電池を電源として働く発光部を設け、該発光部より光信号を発信してこれを本体部側の受光部で受信し、その受信信号に応じた所定の動作を行う形式の局部洗浄装置の動作制御方法であって前記電池の電圧値が、前記発光部からの発信が不能となる電池切れ電圧値よりも高い値で設定した第一の設定電圧値まで降下した時点で、前記リモコン操作部における動作停止のためのストップ及び便器洗浄操作以外の操作に基づく動作を実質上禁止することを特徴とする局部洗浄装置。
【請求項２】
請求項１において、前記第一設定電圧値よりも高い値で第二の電圧値を設定し、前記電池電圧が該第二の設定電圧値まで降下した時点で電池切れ表示を行うことを特徴とする局部洗浄装置。
【発明の詳細な説明】
【技術分野】
【０００１】
この発明は局部洗浄装置に関する。
【背景技術】
【０００２】
便器使用に際して、用足し後にノズル先端より洗浄水を人体局部に向けて噴出する局部洗浄装置が広く用いられている。この局部洗浄装置の一種として、リモコン操作部を備え、かかるリモコン操作部に内蔵した電池を電源として発光部より光信号を発信し、これを便器側の本体部の側に設けた受光部で受信して制御部の制御の下にその受信信号に対応した所定の動作を行う形式のものが知られている。
【０００３】
この種リモコン操作形式の局部洗浄装置にあっては、通例、本体部の側にも副操作部が設けられ、この副操作部においても所定の操作、例えば動作停止のためのストップ操作が行い得るようになっている。このように副操作部においても所定の操作を行えるようにしておくことで、万一リモコン操作部において操作不能に陥った場合にも、確実に局部洗浄装置を停止操作することができる。 
【０００４】
上記のように局部洗浄装置にあって、通例リモコン操作部と併せて本体部側にも副操作部を設けるようにしているのは、万一リモコン操作部での操作が不能に陥ったときに副操作部において操作を可能とするためであるが、このように本体部側に副操作部を設けた場合、この副操作部が出張りとなって局部洗浄装置ないし便器の外観を損ねる問題がある。
【０００５】
そこで操作部としてはリモコン操作部のみとし、副操作部をなくすことが考えられる。このリモコン操作部は、操作性及び視認性が良好であるといった優れた利点を有しているが、反面、操作部をこのリモコン操作部のみとした場合次のような困難な問題を生ずる。
【０００６】
前述したように発光部より光信号を発信するワイヤレスのリモコン操作部の場合、内蔵した電池を電源として働くようになっており、電池切れによって次のような不都合が生じる恐れがある。即ち、例えば洗浄水の噴出動作のための信号を発信した後に電池切れが起ってしまい、洗浄水の噴出を停止するための操作を行ってもその信号が発信されなくなってしまうといったことが生ずるのである。
【０００７】
洗浄水の噴出は、例えば一定時間経過後に自動的に停止するようになっているとしても、その間に使用者が不用意に便器から立ち上ったりすると洗浄水が服にかかってこれを濡らしたり、或いは床に飛散してこれを濡らしてしまったりするといった問題を生ずる。
【０００８】
その問題に対して、先行文献１には、電圧値が規定以下になった際でも、リモコン操作部における動作停止のためのストップ操作以外の操作に基づく動作を実質上禁止することで、ストップ操作を確実に実行できる技術が開示されている。しかし、先行文献１では、便器洗浄も禁止される為、便器に汚物が残った状態になってしまうという問題がある。
【先行技術文献】
【特許文献】
【０００９】
【特許文献１】特開平８−３１９６４９号公報
【発明の概要】
【発明が解決しようとする課題】
【００１０】
そこで本発明は、上記問題を解決することにあり、リモコンのストップ操作及び便器洗浄操作が実質上できなくなってしまうのを防止することができ、確実にストップ操作及び便器洗浄操作の動作を実行させること停止させることができる局部洗浄装置を提供する。
【課題を解決するための手段】
【００１１】
而して本願の発明は、局部洗浄装置の本体部とは離隔して配置されるリモコン操作部に電池を電源として働く発光部を設け、該発光部より光信号を発信してこれを本体部側の受光部で受信し、その受信信号に応じた所定の動作を行う形式の局部洗浄装置の動作制御方法であって、前記電池の電池電圧値が、前記発光部からの発信が不能となる電池切れ電圧値よりも高い値で設定した第一設定電圧値まで降下した時点で、前記リモコン操作部における動作停止のためのストップ及び便器洗浄操作以外の操作に基づく動作を実質上禁止することを特徴とする。
【００１２】
本発明によれば、電池切れ電圧値よりも高い値で設定した第一設定電圧値まで電池電圧が降下した時点で、ストップ操作及び便器洗浄操作以外の操作による動作を禁止状態とするもので、ストップ操作及び便器洗浄操作ができなくなってしまうのを防止することができ、ストップ操作及び便器洗浄操作を確実に動作させることができる。
【００１３】
本願の更に別の発明は、前記第一設定電圧値よりも高い値で第二設定電圧値を設定し、前記電池電圧値が該第二設定電圧値まで降下した時点で電池切れ表示を行うことを特徴とする。
【００１４】
本構成によれば、電池電圧が上記第一設定電圧値若しくは電池切れ電圧値まで下がる以前に使用者に対して電池が切れかかっていることを認識させることができる。これにより電池交換を促すことができるとともに、後において局部洗浄装置が動作しなくなった場合においても、これが電池の電圧低下によるものであることを使用者に認識させることができる。
【発明の効果】
【００１５】
リモコンのストップ操作及び便器洗浄操作が実質上できなくなってしまうのを防止することができ、確実にストップ操作及び便器洗浄操作の動作を実行させること停止させることができる局部洗浄装置を提供することができる。
【図面の簡単な説明】
【００１６】
【図１】本発明の一実施例である動作制御方法の適用対象である局部洗浄装置付便器の外観状態を示す斜視図である。
【図２】図１の局部洗浄装置付便器を分解して示す斜視図である。
【図３】図１のリモコン操作部における内蔵電池の時間経過に対する電圧値低下を示す図である。
【図４】図１のリモコン操作部における内部回路構成を示す図である。
【発明を実施するための形態】
【００１７】
次に本発明の実施例を図面に基づいて詳しく説明する。図１は局部洗浄装置付便器の外観状態を、また図２はその局部洗浄装置付便器を分解して示したものである。これらの図において、１０は陶器製の便器本体で後部上面に樹脂製のベースプレート１２が載置固定されている。 
【００１８】
そしてこのベースプレート１２上に、人体局部に向けて洗浄水を噴出する一対のノズル１４，脱臭ファン１６，ポンプ１８等局部洗浄装置を構成する各種機構部品が載置されている。
【００１９】
ベースプレート１２上には、また、容器状の凹形状部２０を下部に有する、全体として浅いトレー状のタンク受２２が載置されている。このタンク受２２は、ビスにてベースプレート１２に固定されている。 
【００２０】
タンク受２２の更に上側には、樹脂製の洗浄水タンク２６が載置されている。この洗浄水タンク２６は、下部に容器の一部を成す凸形状部２８を有しており、この凸形状部２８を上記タンク受２２における凹形状部２０の内部に嵌め入れる状態でタンク受２２上に載置されている。 
【００２１】
この洗浄水タンク２６には、前面下部と後面下部とにそれぞれ板状且つ平面略三角形状のボス部３０が形成されており、また前面上部と後面上部とにはブロック状のボス部３２が形成されている。そして洗浄水タンク２６は、下部のボス部３０においてビスによりタンク受２２に固定されている。 
【００２２】
洗浄水タンク２６の前面には、また、複数の円筒形状のボス部３４を有する樹脂製の取付プレート３６が一体的に設けられている。これらボス部３４のそれぞれの中心部には固定穴が形成されており、そしてその固定穴へのビスのねじ込みによって、制御回路基板３８（図２参照）が取付プレート３６に固定されている。即ち、制御回路基板３８が取付プレート３６を介して洗浄水タンク２６の前面に取り付けられている。ここで制御回路基板３８は、局部洗浄装置の本体部側における制御部を構成するものである。
【００２３】
図１，図２において、４０は樹脂製のタンクカバーであって、このタンクカバー４０は前カバー４２と後カバー４４とに分かれており、それぞれが上記洗浄水タンク２６，タンク受２２その他のベースプレート１２上の各機構部品を覆う状態でベースプレート１２上に配置され固定されている。 
【００２４】
これら前カバー４２及び後カバー４４は、洗浄水タンク２６の上部のボス部３２へのビスのねじ込みによって洗浄水タンク２６にそれぞれ締結されている。尚、前カバー４２には便座４６及び便蓋４８が一体に設けられており、またタンクカバー４０の上面には蓋体５０が被せられるようになっている。
【００２５】
また、図１において５２は洗浄水タンク２６に接続された給水管であり、５４は局部洗浄装置の本体部側とは離隔して壁面に取り付けられたリモコン操作部である。 
【００２６】
リモコン操作部５４においては、所定の操作が行われたときその内部回路によって各操作に基づいた信号に変換され、その信号が発光部５６より光信号として発信される。発信された光信号は本体部側に設けられた受光部５８にて受信され、そして制御回路基板３８によってその受信信号に対応した所定の動作が行われる。 
【００２７】
具体的には、図１に示すリモコン操作部５４の各種機能の動作スイッチ５４Ａ及び５４Ｃを押すことによって、本体側の該当機能が動作し、続いてストップスイッチ５４Ｂを押すことによってその動作が停止するようになっている。ここでリモコン操作部５４は電池を内蔵しており、かかる電池を電源として光信号を発信している。従って時間の経過とともに電池電圧値が低下し、最終的にリモコン操作部５４の最低作動電圧値を下回った時点で各種機能の操作が不可能となる。 
【００２８】
即ち、電池切れ状態が迫っていることを使用者が認識していない状態で、例えば洗浄水の噴出操作をした後に電池切れとなった場合、洗浄水の噴出を停止するための操作が不能となり、噴水しっ放しの状態になってしまったり、排便後に電池切れになった場合、便器洗浄動作が容易に行えなくなる。 
【００２９】
リモコン操作部５４は、そのような弊害が生じぬように、操作不能となる以前に、電池切れが近いことを表示する警告ランプ６０（図１参照）を点灯させる機能と、ストップスイッチ５４Ｂ・便器洗浄スイッチ５４Ｃ以外の操作、即ち動作スイッチ５４Ａの操作を実質上禁止する機能とを有している。それら機能を図３，図４にて具体的に説明する。 
【００３０】
図３は、時間の経過に対する電池電圧値の低下を示すグラフであり、Ｄはそれ以降リモコン操作部５４の全ての操作が不能となる時点、即ち電池電圧値がリモコン操作部５４の最低作動電圧値（本例では２．２Ｖ）まで低下した時点である。またＢは、Ｄ時点での電圧値よりも高い電圧値で設定した第一設定電圧値（２．４Ｖ）まで電池電圧値が低下した時点であり、このＢ時点以降は動作スイッチ５４Ａの操作が実質上禁止される。更にまたＡは、Ｂ時点での電圧値よりも高い電圧値で設定した第二設定電圧値（２．６Ｖ）まで電池電圧値が低下した時点であり、このＡ時点以降は警告ランプ６０を点灯する。 
【００３１】
要するに内蔵電池の電池電圧値が第二設定電圧値まで低下した時点（Ａ時点）で警告ランプ６０が点灯し、更に第一設定電圧値まで低下した時点（Ｂ時点）で動作スイッチ５４Ａの操作が禁止となる機能をリモコン操作部５４は有している。 
【００３２】
ここで、Ｂ時点からＤ時点に至るまでの時間は非常に長い（数日）ものであり、ストップスイッチ５４Ｂ及び便器洗浄スイッチ５４Ｃの操作が不能となるよりも数日前の時点で動作スイッチ５４Ａの操作が禁止される。以上より、使用者は動作スイッチ５４Ａの操作が不能（禁止）となる前に警告ランプ６０の点灯によって電池切れが迫っていることを認識できる。 
【００３３】
図４に示しているように、リモコン操作部５４においては、動作スイッチ５４Ａ及びストップスイッチ５４Ｂ及び便器洗浄スイッチ５４Ｃが操作されると、その操作に基づく所定の光信号を発光部５６より発信する。 
【００３４】
更にリモコン操作部５４においては、第二設定電圧値と電池６６の電池電圧値とを第二設定電圧判定回路６８で比較し、そして電池６６の電池電圧値の方が低かったときには警告ランプ点灯回路７０により警告ランプ６０を点灯させる。 
【００３５】
リモコン操作部５４においては、また、第一設定電圧判定回路７２によって電池６６の電池電圧値と第一設定電圧値とを比較した上、電池６６の電池電圧値の方が低くなると、回路７４によって動作スイッチ５４Ａから発信回路６２への信号伝達を遮断し、発信回路６２からの動作スイッチ５４Ａのそれぞれに対応する信号の発信を禁止する。即ち動作スイッチ５４Ａを操作しても発光部５６が発信しないことになる。尚、図４において定電圧回路６４は電池６６の電圧値変化に左右されず、常に一定電圧値を形成していて、その一定電圧値が第一，第二設定電圧判定回路７２，６８に入力される。そして第一，第二設定電圧判定回路７２，６８は、その一定電圧値を分圧して第一及び第二設定電圧値を形成している。 
【符号の説明】
【００３６】
１０ 便器本体
５４ リモコン操作部
５６ 発光部
５８ 受光部
６０ 警告ランプ
６６ 電池
【図２】
2015187354.tif 000003
【図３】
2015187354.tif 000004
【図１】
2015187354.tif 000005
【図４】
2015187354.tif 000006